(57)【要約】【課題】停電後自動復帰時におけるタスク用空調装置において、安定した適温の空調空気をＩＴ装置に供給できるタスク用空調装置が求められている。【解決手段】タスク用空調装置は、電源の給電および停電を検出する給停電検知手段と、吹き出される空調空気の風向きを変える風向変更手段と、停電後給電再開時に作動する自動運転復帰手段とを有し、アンビエント用空調装置により全体的冷房が行なわれる電算室の室内に配備され、同じ室内に設置されているＩＴ装置に対し局所的冷房を行なう装置であって、ＩＴ装置の空調負荷情報を検出する空調負荷情報検出手段と、停電およびその後の給電再開が検出され自動的に運転が復旧されたとき、検出された空調負荷情報に基づいて、吹き出される空調空気の風向きを変えるように風向変更手段を制御する風向制御手段と、を備えている。【選択図】図２
2014005948.tif 000002
【特許請求の範囲】
【請求項１】
冷凍サイクル動作を行なう冷媒回路の一部を構成する蒸発器と、前記蒸発器を内蔵した本体ケーシングと、制御装置へ供給される電源の給電および停電を検知する給停電検知手段と、前記本体ケーシングの吹出し口から吹き出される空調空気の風向きを変える風向変更手段と、停電後の給電再開時に自動的に運転復帰を行なう自動運転復帰手段とを有するとともに、前記冷媒回路の一部を構成するアンビエント用空調装置により全体的冷房が行なわれる室内に配備されていて、前記室内に設置されている装置に対し局所的冷房を行なうタスク用空調装置において、
前記装置に関する空調負荷情報を検出する空調負荷情報検出手段と、
前記給停電検知手段により停電およびその後の給電再開が検出されて前記自動運転復帰手段により自動的に運転が復旧されたとき、前記空調負荷情報検出手段により検出された空調負荷情報に基づいて、前記吹出し口から吹き出される空調空気の風向きを変えるように前記風向変更手段を制御する風向制御手段と、
を備えていることを特徴とするタスク用空調装置。
【請求項２】
吹出し口から吹き出される空調空気の温度を検出する吹出空気温度検出手段と、装置またはその周囲の空気温度を検出するタスク用空気温度検出手段とを備え、
空調負荷情報検出手段により検出される空調負荷情報が、前記吹出空気温度検出手段により検出された空調空気の温度と、前記タスク用空気温度検出手段により検出された装置またはその周囲の温度とに基づくものであり、
風向制御手段は、前記検出された空調空気の温度が前記検出された装置またはその周囲の温度を下回るまで、またはあらかじめ設定した温度以下となるまでは、前記吹出し口から吹き出される空調空気の風向きを前記装置から遠ざけるように風向変更手段を制御し、前記検出された空調空気の温度が前記検出された装置またはその周囲の温度を下回ったとき、またはあらかじめ設定した温度以下とななったときに、前記吹出し口から吹き出される空調空気の風向きを前記装置に向けるように前記風向変更手段を制御する構成にされていることを特徴とする請求項１に記載のタスク用空調装置。
【請求項３】
蒸発器を個々に内蔵した複数台の本体ケーシングと、前記複数台の本体ケーシングの冷媒回路をそれぞれ制御する集中コントローラーと、装置またはその周囲の温度に関する設定温度値を外部から予め設定入力するために前記集中コントローラーに配備された外部入力手段とを備え、
風向制御手段は、前記検出された空調空気の温度が前記外部入力手段から予め設定入力されている装置またはその周囲の設定温度値を下回るまでは、前記吹出し口から吹き出される空調空気の風向きを前記装置から遠ざけるように風向変更手段を制御し、前記検出された空調空気の温度が前記設定温度値を下回ったときに、前記吹出し口から吹き出される空調空気の風向きを前記装置に向けるように前記風向変更手段を制御する構成にされていることを特徴とする請求項１または請求項２に記載のタスク用空調装置。
【発明の詳細な説明】
【技術分野】
【０００１】
この発明は、サーバなどのＩＴ装置が設置された電算室などに配備されたアンビエント用空調装置では冷却しにくい局所的なホットスポットに対応するために用いられるタスク用空調装置に関するものである。
【背景技術】
【０００２】
従来、この種の空気調和装置としては、例えば、下記の特許文献１に記載された装置が知られている。この空気調和装置では、作動時に熱を発するＩＴ装置が電算室内のフロア板上に複数台設置されており、各ＩＴ装置にはその空調負荷情報を把握するための温度センサーが取り付けられている。また、ＩＴ装置はファンを搭載しており、室内の空気を取り込んで自身の冷却をしている。そして、この電算室は床スラブの上方に床下空間を有してフロア板が敷設されている、いわゆるフリーアクセスフロア構造となっている。そして、電算室内の壁際には、空調空気をフリーアクセスフロアの床下空間内へ吹き出して全体的な空調を行なう室内機が設置されている。この空気調和装置において、室内機の吹出し口から床下空間内に吹き出された冷たい空調空気が、ＩＴ装置のケーシングの吸込み口からケーシング内へ流入し、発熱部品を冷却したのちにケーシングの吹出し口から電算室内に戻されるようになっている。
【０００３】
一方で、電算室内に設置されているＩＴ装置の台数が多くなると、前記したように室内全体の空調を行なう室内機だけでは温度管理が難しく、ケーシング内を所定温度以下に冷やすことのできないＩＴ装置を有するホットスポット領域が出現する場合がある。そこで、前記のように室内の全体的な空調を行なう室内機（アンビエント用空調装置）に加えて、ホットスポット領域内に位置するＩＴ装置に対して局所的な空調を行なうタスク用空調装置が電算室内に配備された空気調和システムも出現している。
【先行技術文献】
【特許文献】
【０００４】
【特許文献１】特開２００６−２７５４５９号公報
【発明の概要】
【発明が解決しようとする課題】
【０００５】
ところで、前記した空気調和システムのアンビエント用空調装置とタスク用空調装置は、電源の停電により停止したのちに再び給電がなされると、自動的に運転復帰が行なわれるようになっているものが多い。しかしながら、このタスク用空調装置では、停電後自動復帰時、ルーバーがＩＴ装置に向けて空調空気を供給するように風向制御される。つまり、タスク用空調装置は空調空気温度が安定するまでの間も、停電中に空気調和装置が停止して温度が上昇した空気をＩＴ装置４に供給し続けるのである。
【０００６】
このような状況を図１０に示す。図１０は従来のタスク用空調装置５３とＩＴ装置４との間の空気循環状態を示している。例えば、復電後の室内１Ａの空気温度が３０度であって、空気がＩＴ装置４内を通過する際に温度が１０度（＋１０ｄｅｇ）上昇するとすれば、（１）：ＩＴ装置４は自身のファン７で３０度の空気（暖気）を吸い込む。（２）：（１）で吸い込んだ３０度の暖気がＩＴ装置４内を通過すると、その空気は４０度の暖気となって室内１Ａ機に吹き出される。(３)：ホットスポット領域内にあるＩＴ装置４付近の天井近くに配置されているタスク用空調装置５３は、停電後自動復帰時に、吹き出し空気をＩＴ装置４に供給しようとルーバー５の羽根角度を制御するが、停電後自動復帰時は所定の冷房能力を安定して供給できるまでに時間を要するため、タスク用空調装置３は（２)ＩＴ装置４から吹き出された４０度の空気を吸い込み、そのままの空気温度で吹き出すこととなる。（４）：そのため、ＩＴ装置４はタスク用空調装置３が吹き出した４０度の暖気を吸い込んで、これを更に加熱し５０度の暖気として吹き出すのである。このように、停電後自動復時に所定の冷房能力供給ができるようになるまで、空気が循環するごとにＩＴ装置４の吸い込み温度が上昇するという悪循環を引き起こしてしまう。そのために、ＩＴ装置４の作動不良を引き起こすおそれや、電算室内を所定温度に戻すために時間を要することがあった。
【０００７】
この発明は、上記のような課題を解決するためになされたものであって、その目的は、停電後自動復帰時に、ホットスポット領域にあるＩＴ装置に対して昇温した空気を供給することを防止することにより、当該ＩＴ装置の作動不良の発生を回避し、また、電算室の温度環境を早急に元に戻すことができるタスク用空調装置を得ることである。
【課題を解決するための手段】
【０００８】
この発明に係るタスク用空調装置は、冷凍サイクル動作を行なう冷媒回路の一部を構成する蒸発器と、蒸発器を内蔵した本体ケーシングと、制御装置へ供給される電源の給電および停電を検知する給停電検知手段と、本体ケーシングの吹出し口から吹き出される空調空気の風向きを変える風向変更手段と、停電後の給電再開時に自動的に運転復帰を行なう自動運転復帰手段とを有するとともに、冷媒回路の一部を構成するアンビエント用空調装置により全体的冷房が行なわれる室内に配備されていて、室内に設置されている装置に対し局所的冷房を行なうタスク用空調装置において、装置に関する空調負荷情報を検出する空調負荷情報検出手段と、給停電検知手段により停電およびその後の給電再開が検出されて自動運転復帰手段により自動的に運転が復旧されたとき、空調負荷情報検出手段により検出された空調負荷情報に基づいて、吹出し口から吹き出される空調空気の風向きを変えるように風向変更手段を制御する風向制御手段とを備えているものである。
【発明の効果】
【０００９】
この発明に係るタスク用空調装置は、停電後自動復帰した際に、空調負荷情報検出手段により検出された空調負荷情報、例えば停電中に室内温度が上昇したという情報に基づいて、タスク用空調装置の吹出し口から吹き出される空調空気の風向きを変えるように構成したので、温度上昇した空気が装置へ供給されることを回避できる。これにより、例えば停電後自動復帰時のタスク用空調装置から吹き出された未冷却の空気を装置に供給することにより、装置内を通過して更に昇温した空気をタスク用空調装置が吸い込むといった悪循環を解消できる。その結果、装置の作動不良などを回避し、また、室内の温度環境を早急に元に戻すことができるという効果を有する。
【図面の簡単な説明】
【００１０】
【図１】この発明の実施の形態１におけるタスク用空調装置を備える空気調和システムの平面配置図である。
【図２】前記タスク用空調装置とＩＴ装置との空気循環状態を部分側断面で示す説明図である。
【図３】前記タスク用空調装置の制御系統を示す概略ブロック構成図である。
【図４】前記タスク用空調装置における風向制御を示すフローチャートである。
【図５】この発明の実施形態２におけるタスク用空調装置の瞬時停電に対処した風向制御を示すフローチャートである。
【図６】この発明の実施形態２におけるタスク用空調装置の通常起動時の風向制御を示すフローチャートである。
【図７】この発明の実施形態３におけるタスク用空調装置とＩＴ装置との空気循環状態を部分側断面で示す説明図である。
【図８】この発明の実施形態４におけるタスク用空調装置とＩＴ装置との空気循環状態を部分側断面で示す説明図である。
【図９】この発明の実施形態４におけるタスク用空調装置の風向制御を示すフローチャートである。
【図１０】従来のタスク用空調装置とＩＴ装置との空気循環状態を部分側断面で示す説明図である。
【発明を実施するための形態】
【００１１】
実施の形態１．
図１はこの発明の実施の形態１におけるタスク用空調装置を備える空気調和システムの平面配置図、図２は前記タスク用空調装置とＩＴ装置との空気循環状態を部分側断面で示す説明図である。
各図において、本実施形態に係る空気調和システムが配備される電算室１の室内１Ａは、床スラブ１６と、その上方に配置されるフロア板１５との間に、床下空間１７が形成されている、いわゆるフリーアクセスフロア形式となっている。そして、図２のような大規模な電算室１の場合、室内１Ａの中央部のフロア板１５上に、サーバなどに代表される多数のＩＴ装置４，４，４，・・・が設置されている。更に、室内１Ａの全体的冷房を行なう複数台のアンビエント用空調装置２，２，・・が室内１Ａの壁沿いに設置されて、床下空間１７内の全般にわたり空調空気を供給して全体的冷房を行なうようになっている。また、各アンビエント用空調装置２の温度管理が行き届きにくいホットスポット領域Ｈ（例えば、室内１Ａにおいて最寄りの各アンビエント用空調装置２から最も遠い位置）内に位置するＩＴ装置４，４，・・の付近には、局所的冷房を行なうタスク用空調装置３がそれぞれ設置されている。そして、各ＩＴ装置４は作動時に熱を発するが、アンビエント用空調装置２から床下空間１７を通過した空調空気、およびホットスポット領域Ｈの周囲にあるタスク用空調装置３から吹き出された空調空気を吸い込んで冷却される。
【００１２】
前記のアンビエント用空調装置２は、箱状に形成された本体ケーシング２５と、本体ケーシング２５内に内蔵された蒸発器２４およびファン２３とを備えている。本体ケーシング２５の上面には、ファン２３の駆動により室内１Ａの空気を吸い込むための吸込み口２Ａが形成されている。本体ケーシング２５の底面には、蒸発器２４を通過して空気調和された空調空気を床下空間１７へ吹き出すための吹出し口２Ｂが形成されている。
【００１３】
前記のタスク用空調装置３は、箱状に形成された本体ケーシング１９と、本体ケーシング１９内に内蔵された蒸発器２１およびファン２２とを備えている。本体ケーシング１９の一側面には、ファン２２の駆動により室内１Ａの空気を吸い込むための吸込み口３Ａが形成されている。本体ケーシング１９の他側面には、蒸発器２１を通過して空気調和された空調空気を室内１Ａへ吹き出すための吹出し口３Ｂが形成されている。本体ケーシング１９の吹出し口３Ｂの近傍には、吹出し口３Ｂから吹き出される空調空気の風向きを変えるルーバー５（風向変更手段の例）と、吹き出される空調空気の温度を検出する温度センサーで具現化された吹出空気温度検出手段１３が設置されている。また、タスク用空調装置３は、冷媒回路へ供給される電源Ｅの給電および停電を検知する給停電検知手段８と、後で詳述する制御装置１４とを備えている。
【００１４】
前記のＩＴ装置４は、箱状に形成された本体ケーシング２６と、本体ケーシング２６内に配備された演算基板（図示省略）や、演算基板に室内１Ａの空気を送風して冷却するファン７とを備えている。本体ケーシング２６の一側面には、ファン７の駆動により室内１Ａの空気を吸い込むための吸込み口４Ａが形成されている。本体ケーシング２６の他側面には、演算基板を冷却した後の空気を室内１Ａへ吹き出すための吹出し口４Ｂが形成されている。既述したホットスポット領域Ｈ内にあるＩＴ装置４の本体ケーシング２６の外面またはその周辺には、タスク用空調装置３の制御装置１４と接続されるタスク用空気温度検出手段１１が設けられている。このタスク用空気温度検出手段１１は温度センサーで具現化されており、吸込み口４Ａ近傍の空気温度、すなわちホットスポット領域Ｈの空気温度を検出するものである。
【００１５】
そして、フロア板１５には、床下空間１７内の空気を吹き出すための吹出し口１８が、例えば個々のＩＴ装置４における吸込み口４Ａの近傍位置に形成されている。前述したような、各アンビエント用空調装置２の蒸発器２４および各タスク用空調装置３の蒸発器２１と、凝縮器、圧縮機および冷媒絞り装置を有する室外機とが冷媒配管（いずれも図示省略）を介して環状に接続されることにより、冷凍サイクル動作を行なう冷媒回路が構成される。すなわち、アンビエント用空調装置２，２，・・・、タスク用空調装置３，３，・・・、および室外機から、この実施形態に係る空気調和システムが構成される。
【００１６】
前記の制御装置１４は、図３に示すように、中央演算ユニットＣＰＵおよびメモリＭを中心として構成されている。そして、中央演算ユニットＣＰＵとつながるデータバス（図示省略）のデータ入力側には、前記の給停電検知手段８と、前記のタスク用空気温度検出手段１１と、前記の吹出空気温度検出手段１３とがデータ通信可能に接続されている。前記データバスのデータ出力側には、ルーバー５を駆動させるドライバー装置（図示省略）がデータ通信可能に接続されている。また、中央演算ユニットＣＰＵは、それぞれ後で詳述する、空調負荷情報検出手段６の機能と、自動運転復帰手段１２の機能と、風向制御手段９の機能とを備えている。これら空調負荷情報検出手段６、自動運転復帰手段１２、風向制御手段９の各機能は、プログラムデータとして予めメモリＭに記憶されており、必要に応じ読み出されて実行される。前述した風向制御手段９の機能は、給停電検知手段８により停電およびその後の給電再開が検出され自動運転復帰手段１２により自動的に運転が復旧されたとき、空調負荷情報検出手段６により検出された空調負荷情報に基づいて、吹出し口３Ｂから吹き出される空調空気の風向きを変えるようにルーバー５の羽根の可変角度を制御するものである。前述した自動運転復帰手段１２の機能は、停電後の給電再開時にタスク用空調装置３の運転条件を自動的に所定値に再設定するとともに、タスク用空調装置３を起動させて運転復帰動作を行なわせるものである。
【００１７】
次に動作について説明する。図４はこのタスク用空調装置による風向制御を示すフローチャートである。
まず、タスク用空調装置３の運転中に停電が発生すると、給停電検知手段８により停電が検知され（ステップＳ１ＡのＹ）、冷媒回路は動作を停止する（Ｓ２）。その後、電源Ｅの給電再開が給停電検知手段８により検知されると（Ｓ３のＹ）、中央演算ユニットＣＰＵによる自動運転復帰手段１２の機能は、冷媒回路を起動して、アンビエント用空調装置２の吹出し口２Ｂおよびタスク用空調装置３の吹出し口３Ｂから、それぞれで空気調和処理された空調空気を室内１Ａに吹き出させる（Ｓ４）。しかしながら、起動直後から目標とする空気調和状態に到達するまでは暫らく時間がかかり、その間は、吹き出される空調空気の温度が目標温度まで下がっていない。
【００１８】
そこで、電源Ｅの給電再開後に、中央演算ユニットＣＰＵによる風向制御手段９の機能は、ルーバー５の羽根角度を制御して、タスク用空調装置３の吹出し口３Ｂから吹き出される空調空気の風向きを、ホットスポット領域Ｈ内にあるＩＴ装置４から遠ざけてそのＩＴ装置４に空調空気を供給しないようにする（Ｓ５）。これにより、従来技術のように、ＩＴ装置４内で昇温して吹出し口４Ｂから吹き出された空気がタスク用空調装置３で殆ど冷却されることなく再びＩＴ装置４の吸込み口４Ａに戻されるといった空気の悪循環が防止される。
【００１９】
そうして、中央演算ユニットＣＰＵによる空調負荷情報検出手段６の機能は、吹出空気温度検出手段１３により検出されたタスク用空調装置３からの空調空気の温度と、タスク用空気温度検出手段１１により検出されたＩＴ装置４またはその周囲の空調空気の温度との温度差（すなわちＩＴ装置４に関する空調負荷情報の例）を観察する。そのうち、検出されたタスク用空調装置３からの空調空気の温度（吹出温度）が、検出されたＩＴ装置４またはその周囲の空調空気の温度（遠方サーモ温度）を下回ったとき（Ｓ６のＹ）、またはあらかじめ設定した温度以下となったとき、前述した風向制御手段９の機能が、ルーバー５の羽根角度を制御して、タスク用空調装置３の吹出し口３Ｂから吹き出される空調空気の風向きをＩＴ装置４またはその周囲に向ける（Ｓ７）。これにより、ＩＴ装置４はタスク用空調装置３によって確実に局所的冷房を受け得るのである。
【００２０】
ここで、従来技術（図１０参照）で述べた条件と同じ運転条件を考察する。図２内の（１）〜（３）で示すように、（１）：ＩＴ装置４は３０度の空気（暖気）をファン７の駆動で吸込み口４Ａから吸い込む。（２）：（１）で吸い込んだ３０度の空気が本体ケーシング２６内を通過すると、その空気は加温されて４０度の暖気となり吹出し口４Ｂから吹き出される。（３）：ホットスポット領域Ｈ内のＩＴ装置４付近の天井近くに配置されているタスク用空調装置３は、停電後自動復帰時の暖気をＩＴ装置４に供給することを防ぐために、ルーバー５を制御して風向きを上向きにし、タスク用空調装置３の冷房能力が安定するまで、暖気を天井に沿って送り出す。これにより、ＩＴ装置４は３０度の空気を吸い込んで循環させる。そうして、タスク用空調装置３は、冷房能力が安定した後に、吹き出す冷気をＩＴ装置４に供給するように、ルーバー５の羽根角度を制御して下向きに変える。このようにして、空調空気の悪循環が解消される。
【００２１】
以上のように、このタスク用空調装置３は、給停電検知手段８により停電・給電を検知し、停電後自動復帰時には、空調負荷情報検出手段６を成す吹出空気温度検出手段１３およびタスク用空気温度検出手段１１によりそれぞれ検出された空気温度に基づいて、吹出空気温度検出手段１３により検出された空気温度が、タスク用空気温度検出手段１１により検出された空気温度を下回るまで、またはあらかじめ設定した温度以下となるまでは、吹出し口３Ｂから吹き出される空調空気の風向きをホットスポット領域Ｈ内のＩＴ装置４から遠ざけるようにルーバー５の羽根角度を制御する一方、下回ったときには、吹出し口３Ｂから吹き出される空調空気の風向きをそのＩＴ装置４に向けるようにルーバー５の羽根角度を制御するので、従来技術のように、停電後自動復帰時のタスク用空調装置５３からの未冷却の空気をＩＴ装置４に供給することにより、ＩＴ装置４内を通過して更に昇温した空気をタスク用空調装置５３が再び吸い込むといった空気の悪循環を解消できる。その結果、電算室の温度環境を早急に元に戻すことができる。
【００２２】
実施の形態２．
実施の形態１では、停電後自動復帰時における風向制御を説明したが、次に、瞬時停電後または通常起動時における風向制御を実施の形態２で説明する。
図５はこの発明の実施形態２におけるタスク用空調装置の「瞬時停電」に対処した風向制御のフローチャートを示している。この制御では、タスク用空調装置３の運転中に瞬間停電（２００ｍｓｅｃ以内の瞬間的など停電）が発生すると、これが給停電検知手段８に検知され（ステップＳ１ＡのＹ）、冷媒回路は動作を停止する（Ｓ２）。その後の給電再開（Ｓ３）からＩＴ装置４への冷気供給（Ｓ７）までの処理は、図４に示したフローチャートのステップＳ３〜Ｓ７と同じである。
【００２３】
他方で、自動復帰に拘わらず、通常起動時においても本発明は適用可能である。図６はこの発明の実施形態２におけるタスク用空調装置の「通常起動時」に対処した風向制御のフローチャートを示している。この制御では、利用者により電源スイッチが入電されると、冷媒回路が起動する（ステップＳ８）。その後のＩＴ装置４への暖気供給回避（Ｓ５）から冷気供給（Ｓ７）までの処理は、図４に示したフローチャートのステップＳ３〜Ｓ７と同じである。
【００２４】
以上のように、実施形態２のタスク用空調装置は、検出された空調空気の温度が、検出されたＩＴ装置４またはその周囲の温度を下回るまでは、吹出し口３Ｂから吹き出される空調空気の風向きを、ＩＴ装置４から遠ざけるようにルーバー５を制御し、検出された空調空気の温度が、検出されたＩＴ装置４またはその周囲の温度を下回ったとき、またはあらかじめ設定した温度以下となるまでに、吹出し口３Ｂから吹き出される空調空気の風向きをＩＴ装置４に向けるようにしているので、「瞬時停電後」または「通常起動時」においても、実施形態１で示した通常の停電後の自動復帰時におけるルーバー５による風向制御と同様の効果が得られる。
【００２５】
実施の形態３．
実施の形態１，２では、フリーアクセスフロアタイプの電算室に適用したものであるが、次にフリーアクセスフロアタイプ以外の電算室に適用する実施の形態３を図７により説明する。
図７はこの発明の実施形態３におけるタスク用空調装置とＩＴ装置との空気循環状態を部分側断面で示している。フロア板１５は床スラブ上に敷設されており、フロア板１５の下方に床下空間は設けられていない。また、実施形態１，２におけるアンビエント用空調装置２，２，・・の代わりに、アンビエント用空調装置２ａ，２ａ，・・が使用される。これらのアンビエント用空調装置２ａは本体ケーシング２５の前側面に吸込み口２Ａが形成され、本体ケーシング２５の天面に吹出し口２Ｂが形成された上吹出しタイプの空調装置であり、室内１Ａの全体的空調に供される。
【００２６】
以上のように、実施形態３のタスク用空調装置は、検出された空調空気の温度が、検出されたＩＴ装置４またはその周囲の温度を下回るまで、またはあらかじめ設定した温度以下となるまでは、吹出し口３Ｂから吹き出される空調空気の風向きを、ＩＴ装置４から遠ざけるようにルーバー５を制御し、検出された空調空気の温度が、検出されたＩＴ装置４またはその周囲の温度を下回ったとき、またはあらかじめ設定した温度以下となったときに、吹出し口３Ｂから吹き出される空調空気の風向きをＩＴ装置４に向けるようにしているので、フリーアクセスフロア以外の電算室１でありながら、実施形態１，２と同様の効果が得られる。
【００２７】
実施の形態４．
実施の形態１〜３は、集中コントローラーを持たない空気調和システムを説明したものであるが、次に集中コントローラーを用いた実施の形態４を説明する。
図８はこの発明の実施形態４におけるタスク用空調装置とＩＴ装置との空気循環状態を部分側断面で示している。このタスク用空調装置３は、蒸発器２１を個々に内蔵した複数台の本体ケーシング１９，１９，・・と、複数台の本体ケーシング１９，１９，・・の冷媒回路をそれぞれ制御する集中コントローラー１０と、ＩＴ装置４またはその周囲の温度に関する設定温度値を外部から予め設定入力するために集中コントローラー１０に配備された、例えばキーボードにより具現化される外部入力手段２０とを備えている。尚、実施形態１〜３で用いたタスク用空気温度検出手段１１は、この実施形態４では用いていない。その代わりに、ＩＴ装置４またはその周囲の温度に関する設定温度値が、作業者らの手により、あるいはオンラインによる外部入力によって、予め外部入力手段２０から設定入力されメモリＭに記憶されている。
【００２８】
そこで、図９のフローチャートに示すように、瞬時停電の検知（Ｓ１ＡのＹ）から再給電後の自動復帰（Ｓ４）までの処理は、図５に示したフローチャートと同じ処理が実行される。そして、吹出空気温度検出手段１３により検出された空調空気の温度が、外部入力手段２０から予め設定入力されメモリＭに格納されているＩＴ装置４またはその周囲に関する設定温度値を下回るまで、またはあらかじめ設定した温度以下となるまで（Ｓ６のＮ）、風向制御手段９は、吹出し口３Ｂから吹き出される空調空気の風向きをＩＴ装置４から遠ざけるようにルーバー５の羽根角度を制御する（Ｓ５）。そして、吹出空気温度検出手段１３により検出された空調空気の温度が設定温度値を下回ったとき、またはあらかじめ設定した温度以下となったときに（Ｓ６のＹ）、風向制御手段９は、吹出し口３Ｂから吹き出される空調空気の風向きをＩＴ装置４に向けるようにルーバー５の羽根角度を制御するのである（Ｓ７）。
【００２９】
以上のように、実施形態４のタスク用空調装置は、外部入力手段２０を有する集中コントローラー１０と通信接続されているので、集中コントローラー１０から設定された、風向制御を行なうべき設定温度値を利用することにより、実施形態１〜３に近い効果が得られる。そのうえ、実施形態１〜３で使用されたタスク用空気温度検出手段１１およびその配線接続構成の省略が可能なので、簡素で安価な構成を提供できるという利点もある。
【００３０】
尚、上記した各実施形態では、風向変更手段の例としてルーバー５を用い、タスク用空調装置３の吹出し口３Ｂから吹き出される空調空気の風向きを上下に変えるようにした例を示したが、本発明はそれに限定されない。例えば、前述のルーバー５に替えて、左右に角度可変に可動する羽根（図示省略）を用いて、タスク用空調装置３からの風向きを、左右に変えるようにして、ホットスポット領域Ｈ内にあるＩＴ装置４に対し、タスク用空調装置３からの空調空気を遠ざけたり仕向けたりしても構わない。また、上下方向可動のルーバー５と、左右方向可動の羽根を併用して、タスク用空調装置３からの風向きを上下および左右、あるいは斜めの方向に向けるようにすることも可能である。
【符号の説明】
【００３１】
１  電算室
１Ａ  室内
２，２ａ  アンビエント用空調装置
３  タスク用空調装置
３Ａ  吸込み口
３Ｂ  吹出し口
４  ＩＴ装置
５  ルーバー（風向変更手段）
６  空調負荷情報検出手段
７  ファン
８  給停電検知手段
９  風向制御手段
１０  集中コントローラー
１１  タスク用空気温度検出手段
１２  自動運転復帰手段
１３  吹出空気温度検出手段
１４  制御装置
１９  本体ケーシング
２０  外部入力手段
２１  蒸発器
２２  ファン
ＣＰＵ  中央演算ユニット
Ｅ  電源
Ｈ  ホットスポット領域
Ｍ  メモリ
【図１】
2014005948.tif 000003
【図２】
2014005948.tif 000004
【図３】
2014005948.tif 000005
【図４】
2014005948.tif 000006
【図５】
2014005948.tif 000007
【図６】
2014005948.tif 000008
【図７】
2014005948.tif 000009
【図８】
2014005948.tif 000010
【図９】
2014005948.tif 000011
【図１０】
2014005948.tif 000012